(57)【要約】【課題】揺れに対して追従可能にタイルを取り付けるためのタイル支持金具を提供する。【解決手段】タイル支持金具は、一のタイルの下部を支持する上部レールと下側に隣接する他のタイルの上部を支持する下部レールとが連設され、下地材の左端から右端まで渡すように、複数が上下方向に間欠的に配置されるベース金具と、前記ベース金具に対して左右方向にスライド移動可能に前記上部レールに係止され、一のタイルを載置するための荷重受け金具と、を有し、前記荷重受け金具は、一のタイルと貼着するための弾性接着剤を前記ベース金具に付着させることなく絡ませるブリッジが形成される、ことを特徴とする。【選択図】図１
2020002575.tif 000002
【特許請求の範囲】
【請求項１】
一のタイルの下部を支持する上部レールと下側に隣接する他のタイルの上部を支持する下部レールとが連設され、下地材の左端から右端まで渡すように、複数が上下方向に間欠的に配置されるベース金具と、
前記ベース金具に対して左右方向にスライド移動可能に前記上部レールに係止され、一のタイルを載置するための荷重受け金具と、を有し、
前記荷重受け金具は、一のタイルと貼着するための弾性接着剤を前記ベース金具に付着させることなく絡ませるブリッジが形成される、
ことを特徴とするタイル支持金具。
【請求項２】
前記下地材の上端において前記下地材の左端から右端まで渡すように配置される上端用金具と、
前記下地材の下端において前記下地材の左端から右端まで渡すように配置される下端用金具と、を有する、
ことを特徴とする請求項１に記載のタイル支持金具。
【請求項３】
前記荷重受け金具は、前記ブリッジを前方に突出させ、前記ブリッジの後面に前記弾性接着剤が通らないようにシートが張られる、
ことを特徴とする請求項１又は２に記載のタイル支持金具。
【請求項４】
前記荷重受け金具は、前記ベース金具に複数間欠的に空けられた係止孔のいずれかに係止するためのルーズホールを有する、
ことを特徴とする請求項１乃至３の何れか一に記載のタイル支持金具。
【発明の詳細な説明】
【技術分野】
【０００１】
本発明は、揺れに対して追従可能にタイルを取り付けるためのタイル支持金具に関する。
【背景技術】
【０００２】
建物の外壁は、下地材にタイルや石材などを貼り付けることで仕上げられる。なお、仕上げ方法としては、下地材にモルタルを使用して直接タイル等を貼着する湿式工法や、下地材に固定した支持金具にタイル等を引っ掛けて弾性接着剤で貼着する乾式工法などがある。下地材としては、ＰＣ（プレキャストコンクリート）板、ＡＬＣ（高温高圧蒸気養生された軽量気泡コンクリート）パネル、ＥＣＰ（押出成形セメント板）などがある。
【０００３】
例えば、ＥＣＰは、ＰＣ板より軽量で耐火性能も有しており、地震などの振動により建物が変形してもある程度追従して動くが、板間を跨いでタイル等を貼ることは困難であり、板内で割り付けられるものに制限されることが多い。特許文献１に記載されているように、タイルを固定する下地材自体が建物躯体に対して水平方向に相対移動可能に取り付けた発明も開示されている。
【先行技術文献】
【特許文献】
【０００４】
【特許文献１】特許第３１７１５６７号公報
【発明の概要】
【発明が解決しようとする課題】
【０００５】
しかしながら、特許文献１に記載の発明では、下地材が建物躯体に対して相対移動可能ではあるが、タイル等と下地材との間では地震などの大きな揺れに追従することができない。タイル等を弾性接着剤で下地材に貼着している場合、ある程度の振動は弾性接着剤で吸収することはできるが、タイル等が大型になると、大きな揺れに対しては歪みを吸収しきれずに、接着剤がひび割れし、タイル等や下地材まで破壊されるおそれがある。
【０００６】
また、タイル等を係止するための支持金具は、上側のタイルの下面を支持すると共に、下側のタイルの上面を支持するために、上側のタイルと下側のタイルの間に配置することが多いが、振動に対する追従性を良くするために支持金具を上下に分けると、コストが増大するだけでなく、ビス等で空ける穴が多くなることで下地材の強度も落ちてしまう。
【０００７】
そこで、本発明は、揺れに対して追従可能にタイルを取り付けるためのタイル支持金具を提供することを目的とする。
【課題を解決するための手段】
【０００８】
上記の課題を解決するために、本発明であるタイル支持金具は、一のタイルの下部を支持する上部レールと下側に隣接する他のタイルの上部を支持する下部レールとが連設され、下地材の左端から右端まで渡すように、複数が上下方向に間欠的に配置されるベース金具と、前記ベース金具に対して左右方向にスライド移動可能に前記上部レールに係止され、一のタイルを載置するための荷重受け金具と、を有し、前記荷重受け金具は、一のタイルと貼着するための弾性接着剤を前記ベース金具に付着させることなく絡ませるブリッジが形成される、ことを特徴とする。
【０００９】
また、前記タイル支持金具は、前記下地材の上端において前記下地材の左端から右端まで渡すように配置される上端用金具と、前記下地材の下端において前記下地材の左端から右端まで渡すように配置される下端用金具と、を有する、ことを特徴とする。
【００１０】
また、前記タイル支持金具において、前記荷重受け金具は、前記ブリッジを前方に突出させ、前記ブリッジの後面に前記弾性接着剤が通らないようにシートが張られる、ことを特徴とする。
【００１１】
また、前記タイル支持金具において、前記荷重受け金具は、前記ベース金具に複数間欠的に空けられた係止孔のいずれかに係止するためのルーズホールを有する、ことを特徴とする。
【発明の効果】
【００１２】
本発明によれば、荷重受け金具がベース金具に対してスライド移動可能なので、大きな揺れによって下地材に歪みが生じても、荷重受け金具で支持されている上側のタイルがベース金具によってロックされず、揺れに対して柔軟に対応することができる。下地材の歪みによって弾性接着剤で吸収しなければならない応力が軽減されるので、弾性接着剤が割れて、タイルや下地材まで破壊されるのを抑制することができる。ベース金具に対して部分的に荷重受け金具を取り付けることで、ベース金具自体を上下に分ける必要がなくなるので、コストを節約することができる。また、ベース金具を固定するためのビス穴も少なくて済むので、下地材の強度も維持することができる。
【図面の簡単な説明】
【００１３】
【図１】本発明であるタイル支持金具の概観を示す正面図である。
【図２】本発明であるタイル支持金具の概観を示す斜視図である
【図３】本発明であるタイル支持金具の平面図、正面図及び側面図である。
【図４】本発明であるタイル支持金具のベース金具の平面図、正面図及び側面図である。
【図５】本発明であるタイル支持金具の荷重受け金具の平面図、正面図及び側面図である。
【図６】本発明であるタイル支持金具の上端用金具の平面図、正面図及び側面図である。
【図７】本発明であるタイル支持金具の下端用金具の平面図、正面図及び側面図である。
【発明を実施するための形態】
【００１４】
以下に、本発明の実施形態について図面を参照して詳細に説明する。同一機能を有するものは同一符号を付け、その繰り返しの説明は省略する場合がある。
【実施例１】
【００１５】
まず、本発明であるタイル支持金具の概要について説明する。図１は、タイル支持金具の概観を示す正面図である。図２は、タイル支持金具の概観を示す斜視図である。図３は、タイル支持金具の（ａ）平面図、（ｂ）正面図及び（ｃ）側面図である。なお、図３（ｂ）においては、タイルを除いた状態を示す。なお、正面図において手前側を前（表）、奥側を後（裏）とする。
【００１６】
図１及び図２に示すように、タイル支持金具１００は、下地材１１０の表面に複数設置されるベース金具２００、それぞれのベース金具２００に複数係止される荷重受け金具３００、下地材１１０の上端においてベース金具２００の代わりに配置される上端用金具４００、及び下地材１１０の下端においてベース金具２００の代わりに配置される下端用金具５００等からなる。なお、荷重受け金具３００は、ベース金具２００に対してネジ等の係止具２６０によりスライド移動可能に留められる。
【００１７】
下地材１１０は、建物の外壁をタイル１２０（図３参照）等で仕上げるための下地として使用される壁材であり、ＰＣ板、ＡＬＣパネル、ＥＣＰなどがある。例えば、ＥＣＰは、上面から下面に貫通する中空孔が複数間欠的に空けられたもので、軽量で耐火性能があり、乾式工法に適している。
【００１８】
図３に示すように、タイル１２０は、建物の外壁を保護すると共に装飾するための薄い板材であり、矩形又はその他の形状のものが複数配列される。なお、隣接するタイル１２０間の目地には、モルタル等が充填される。また、タイル１２０には、陶磁器製のものだけでなく、外壁を装飾するための石材なども含むものとする。
【００１９】
タイル１２０は、下地材１１０に取り付けたベース金具２００、上端用金具４００、及び下端用金具５００で支持することで配列される。ベース金具２００は、上側に配置されたタイル１２０の下部を荷重受け金具３００で支持すると共に、下側に配置されたタイル１２０ａの上部を支持する。なお、上端のタイル１２０の場合は、ベース金具２００の代わりに上端用金具４００で支持し、下端のタイル１２０ａの場合は、ベース金具２００の代わりに下端用金具５００で支持すれば良い。
【００２０】
ベース金具２００は、下地材１１０の左端から右端まで渡すように留め具１３０で留められ、水平方向に並べられた複数のタイル１２０を支持する。なお、上端用金具４００及び下端用金具５００も同様である。ベース金具２００は、上端用金具４００と下端用金具５００の間に複数が上下方向に間欠的に配置される。なお、留め具１３０としては、下地材１１０に埋め込んだプラグにネジを螺合させることで締結する偏心プラグなどを用いれば良い。
【００２１】
タイル１２０の上部裏面は、ベース金具２００に絡むように、弾性接着剤１４０で貼着される。このとき、弾性接着剤１４０が下地材１１０に付着しないように、ベース金具２００の裏面にビニール等の絶縁用のシート等を張っても良い。なお、上端用金具４００及び下端用金具５００についても同様である。
【００２２】
また、タイル１２０の下部裏面は、荷重受け金具３００に絡むように、弾性接着剤１４０で貼着される。このとき、弾性接着剤１４０がベース金具２００及び下地材１１０に付着しないように、荷重受け金具３００の裏面に絶縁用のシート等を張っても良い。なお、弾性接着剤１４０としては、振動等に対して応力を吸収・分散できて耐久力のあるものが好ましい。
【００２３】
次に、タイル支持金具を構成する各金具について説明する。図４は、ベース金具の（ａ）平面図、（ｂ）正面図及び（ｃ）側面図である。図５は、荷重受け金具の（ａ）平面図、（ｂ）正面図及び（ｃ）側面図である。図６は、上端用金具の（ａ）平面図、（ｂ）正面図及び（ｃ）側面図である。図７は、下端用金具の（ａ）平面図、（ｂ）正面図及び（ｃ）側面図である。
【００２４】
図４に示すように、ベース金具２００は、横に細長い板材であり、上半分である上部レール２１０と、下半分である下部レール２２０とが連設されており、留め具１３０が通される留め孔２３０、下部レール２２０に形成されるブリッジ２４０、及び係止具２６０が通される係止孔２５０等を有する。
【００２５】
上部レール２１０には、任意の位置に複数の荷重受け金具３００が係止される。上部レール２１０に沿って並置される複数のタイル１２０ごとに荷重受け金具３００が用いられれば良い。荷重受け金具３００を係止するために、所定の間隔で多数の係止孔２５０を空けておき、任意の位置で係止具２６０を用いて留めれば良い。
【００２６】
ブリッジ２４０は、下部レール２２０において、所定の間隔で複数が前方へ台形状等に突出するように形成される。なお、ブリッジ２４０の上側及び下側には孔を空けておき、ブリッジ２４０の裏側に弾性接着剤１４０が入り込むようにする。ただし、弾性接着剤１４０が下地材１１０には付着しないように、ブリッジ２４０及びその周りの孔の位置には、下部レール２２０の裏面に沿ってシートを張るのが良い。
【００２７】
留め孔２３０は、上部レール２１０及び下部レール２２０に複数空けられ、例えば、円孔と長孔を交互に空けても良い。長孔にすることで、下地材１１０に孔を空ける位置を調整した上で、留め具１３０を通すことが可能となる。なお、上部レール２１０及び下部レール２２０は、下地材１１０との間に空間を確保して浮かせた状態で設置されるが、留め孔２３０を空ける列においては、下地材１１０に当接するように折曲げ加工すれば良い。
【００２８】
図５に示すように、荷重受け金具３００は、タイル１２０の位置に合わせてベース金具２００に係止される板材であり、タイル１２０を支持するためのブリッジ３１０、ベース金具２００に係止するためのルーズホール３２０、タイル１２０を載置するための受け片３３０、及びベース金具２００に引っ掛けるための掛け片３４０等を有する。
【００２９】
ブリッジ３１０は、１つ又は複数が前方へ台形状等に突出するように形成される。なお、ブリッジ３１０の上側及び下側には孔を空けておき、ブリッジ３１０の裏側に弾性接着剤１４０が入り込むようにする。ただし、弾性接着剤１４０がベース金具２００には付着しないように、ブリッジ３１０及びその周りの孔の位置には、ブリッジ３１０の裏面に沿ってシートを張るのが良い。
【００３０】
掛け片３４０は、荷重受け金具３００の上端を裏側に折り返してフック状にすることで、上部レール２１０の前側に掛けられれば良い。ルーズホール３２０は、荷重受け金具３００が前方に行かないように、係止具２６０で留めるために空けられるが、係止具２６０の頭が通らない高さにし、左右方向に移動できるように幅を持たせる。係止具２６０は、任意の係止孔２５０に螺合させれば良いが、荷重受け金具３００が動けなくならない程度に締めれば良い。
【００３１】
受け片３３０は、荷重受け金具３００の下端を前方に折り曲げてタイル１２０を載せられれば良い。ベース金具２００のブリッジ２４０と、荷重受け金具３００のブリッジ３１０とは、突出面を合わせる。タイル１２０を受け片３３０に載せて、ベース金具２００のブリッジ２４０と、荷重受け金具３００のブリッジ３１０が、タイル１２０の裏面に接したときに、タイル１２０が垂直になれば良い。
【００３２】
荷重受け金具３００は、ベース金具２００に接着されず、左右方向にスライド移動可能となるので、荷重受け金具３００で支持されている一のタイル１２０と、その下側に隣接しており下部レール２２０で支持されている他のタイル１２０ａとが、建物の揺れによる下地材１１０の歪みに対して、別々に動くことが可能である。すなわち、ベース金具２００が大きく動いても、それに連動せずに荷重受け金具３００の動きが抑えられ、弾性接着剤１４０で吸収する応力も小さくなる。
【００３３】
図６に示すように、上端用金具４００は、ベース金具２００の下部レール２２０に相当する。下部レール２２０と同様に、留め具１３０を通すための留め孔４１０、及びタイル１２０の裏面に当接させるために台形状等に突出させたブリッジ４２０等を有し、タイル１２０の上面を押さえるための押さえ片４３０を設けても良い。
【００３４】
図７に示すように、下端用金具５００は、ベース金具２００の上部レール２１０に相当する。上部レール２１０と同様に、留め具１３０を通すための留め孔５１０、タイル１２０の裏面に当接させるために台形状等に突出させたブリッジ５２０、及びタイル１２０の下面を載せるための受け片５３０等を有し、受け片５３０を補強するためのリブ５４０を設けても良い。
【００３５】
本発明によれば、荷重受け金具がベース金具に対してスライド移動可能なので、大きな揺れによって下地材に歪みが生じても、荷重受け金具で支持されている上側のタイルがベース金具によってロックされず、揺れに対して柔軟に対応することができる。下地材の歪みによって弾性接着剤で吸収しなければならない応力が軽減されるので、弾性接着剤が割れて、タイルや下地材まで破壊されるのを抑制することができる。ベース金具に対して部分的に荷重受け金具を取り付けることで、ベース金具自体を上下に分ける必要がなくなるので、コストを節約することができる。また、ベース金具を固定するためのビス穴も少なくて済むので、下地材の強度も維持することができる。
【００３６】
以上、本発明の実施例を述べたが、これらに限定されるものではない。例えば、下端用金具にも荷重受け金具を係止しても良い。
【符号の説明】
【００３７】
１００：タイル支持金具
１１０：下地材
１２０：タイル
１３０：留め具
１４０：弾性接着剤
２００：ベース金具
２１０：上部レール
２２０：下部レール
２３０：留め孔
２４０：ブリッジ
２５０：係止孔
２６０：係止具
３００：荷重受け金具
３１０：ブリッジ
３２０：ルーズホール
３３０：受け片
３４０：掛け片
４００：上端用金具
４１０：留め孔
４２０：ブリッジ
４３０：押さえ片
５００：下端用金具
５１０：留め孔
５２０：ブリッジ
５３０：受け片
５４０：リブ
【図１】
2020002575.tif 000003
【図２】
2020002575.tif 000004
【図３】
2020002575.tif 000005
【図４】
2020002575.tif 000006
【図５】
2020002575.tif 000007
【図６】
2020002575.tif 000008
【図７】
2020002575.tif 000009